(57)【要約】【課題】骨盤を正しい位置に保ちつつ、体に振動を与えて有酸素運動を行うことができる振動マシンを提供する。【解決手段】使用者の足底を乗せるための踏み板１が上部に設けられ、当該踏み板１を振動させるためのモータ１０が収容されているベース部１１と、このベース部１１に立設されたセンターポスト１２と、このセンターポスト１２の上端に設けられた制御パネル１３と、前記センターポスト１２に固設されており、姿勢安定のために使用者が把持する把持部を有するサポートバー１４と、前記ベース部１１内に配設されており、前記モータ１０の回転力を前記踏み板１を振動させる力に変換する振動生成機構２０とを備えた振動マシンＭ。前記踏み板１には、使用者の各足の親指をそれぞれ当接可能な左右の側面４ａを有する中央凸部４と、左右の各側面４ａの下縁から当該踏み板１の端部に向かって上昇する傾斜面３ａを有する一対の傾斜部３とが形成されている。  【選択図】      図１
2009195591.tif 000002
【特許請求の範囲】
【請求項１】
使用者の足底を乗せるための踏み板が上部に設けられ、当該踏み板を振動させるためのモータが収容されているベース部と、
このベース部に立設されたセンターポストと、
このセンターポストの上端に設けられた制御パネルと、
前記センターポストに固設されており、姿勢安定のために使用者が把持する把持部を有するサポートバーと、
前記ベース部内に配設されており、前記モータの回転力を前記踏み板を振動させる力に変換する振動生成機構と
を備えており、
前記踏み板には、使用者の各足の親指をそれぞれ当接可能な左右の側面を有する中央凸部と、左右の各側面の下縁から当該踏み板の端部に向かって上昇する傾斜面を有する一対の傾斜部とが形成されていることを特徴とする振動マシン。
【請求項２】
前記振動生成機構が、
前記モータの出力軸にベルトを介して連結された回転シャフトと、
この回転シャフトの両端面にそれぞれ突設され、その軸心が前記回転シャフトの軸心から偏心している偏心軸と、
前記回転シャフトの両端にそれぞれ配設され、その上部に弾性体が固設された可動軸受と、
前記回転シャフトと同心に配置され、当該回転シャフトの軸方向において前記各可動軸受よりも外側に配設された固定軸受と
を備えており、
前記偏心軸が、前記可動軸受の内輪に挿通されるとともに、前記固定軸受の内輪に嵌め込まれた円盤体に固着されており、且つ
前記弾性体が前記踏み板の下面に固着されている請求項１に記載の振動マシン。
【請求項３】
前記弾性体が、ゴム製の短円筒体と、この短円筒体の両端面にそれぞれ設けられた固定プレートとを備えており、一方の固定プレートが、前記踏み板の下面に固着され、他方の固定プレートが、前記可動軸受の外輪外周を把持して当該可動軸受を収容するハウジングの上部に固着されている請求項２に記載の振動マシン。
【発明の詳細な説明】
【技術分野】
【０００１】
本発明は振動マシンに関する。さらに詳しくは、踏み板上に乗るだけで運動不足を解消することができる振動マシンに関する。
【背景技術】
【０００２】
近年、主として食生活の欧米化や、車の普及に伴う運動不足を原因として、肥満又は肥満気味の人々が増加しつつあり、また生活習慣病及びその予備群の人々も増加しつつある。一方において、人々の健康に対する関心は深く、ヨガ、エアロビクス、水泳などの教室、あるいはフィットネスクラブを利用する人の数も増加しつつある。
【０００３】
ところで、前記エアロビクスや水泳などの運動は、専用の施設に出かけていき、運動に適した服装に着替えた上で行う必要があり、時間がかかるとともに、自ら積極的に身体を動かす必要があることから、継続させるのが難しいという問題がある。
そこで、普段着でも簡単かつ手軽に有酸素運動を行うことができるものとして、ベース上に配設した踏み板を当該ベース内に設けたモータを用いて振動させ、この振動を前記踏み板の上に乗った使用者に伝達するマシンが提案されている（特許文献１参照）。
【０００４】
特許文献１に記載されているヘルスダイエットマシンは、シャフトにより本体ボックスに回動自在に支持されたシーソーフレームの両端に踏み板を設け、一方の踏み板に取り付けたブラケットを、偏心カムを含む上下振動手段によって上下動させ、これにより両踏み板を交互に上下動（振動）させている。
【０００５】
【特許文献１】特開２００６−２８９０５１号公報
【発明の開示】
【発明が解決しようとする課題】
【０００６】
しかしながら、特許文献１記載のマシンでは、使用者は両足の足底を離間した２枚の踏み板上に乗せた状態で振動を受けており、足をかなり開いた状態で振動を受けることから、長期に亘り使用を続けると、骨盤にゆがみが生じる惧れがある。
【０００７】
本発明は、このような事情に鑑みてなされたものであり、骨盤を正しい位置に保ちつつ、体に振動を与えて有酸素運動を行うことができる振動マシンを提供することを目的としている。
【課題を解決するための手段】
【０００８】
本発明の振動マシンは、使用者の足底を乗せるための踏み板が上部に設けられ、当該踏み板を振動させるためのモータが収容されているベース部と、
このベース部に立設されたセンターポストと、
このセンターポストの上端に設けられた制御パネルと、
前記センターポストに固設されており、姿勢安定のために使用者が把持する把持部を有するサポートバーと、
前記ベース部内に配設されており、前記モータの回転力を前記踏み板を振動させる力に変換する振動生成機構と
を備えており、
前記踏み板には、使用者の各足の親指をそれぞれ当接可能な左右の側面を有する中央凸部と、左右の各側面の下縁から当該踏み板の端部に向かって上昇する傾斜面を有する一対の傾斜部とが形成されていることを特徴としている。
【０００９】
本発明の振動マシンでは、使用者が乗る踏み板の上面に、使用者の各足の親指をそれぞれ当接可能な左右の側面を有する中央凸部と、左右の各側面の下縁から当該踏み板の端部に向かって上昇する傾斜面を有する一対の傾斜部とを設けている。そして、前記凸部の側面に使用者の各足の親指が当接するように当該親指が配置され、足の親指を含む５指が傾斜した状態で前記傾斜部上に配置されるので、使用者は各足の中指が略真正面を向いた状態で、且つ各足底に対して充分な体重を掛けた状態で踏み板上に乗ることができる。これにより、使用者は、脛骨、大腿骨及び骨盤を正しい位置に保つことができ、振動による有酸素運動を長時間行っても、骨盤にゆがみが生じることがない。そして、このような正しい姿勢で振動を体に与えることにより、血液の流れを良くして新陳代謝を改善させることができ、また体内の脂肪を効率よく燃焼させて体脂肪や内臓脂肪を減少させることができる。さらには、太ももを上げたり、骨盤の位置を正常に保つのに重要な役割を果たす大腰筋を鍛えることができる。
また、平坦な踏み板であると、踏み板が振動することにより当該踏み板が傾斜したときに傾斜面の低い方に位置する足（体のバランスを保つために踏ん張る方の足）に過大な負荷が掛かる惧れがあるが、前記のような傾斜面を形成することにより、このような負荷を低減して、踏み板の振動に伴う膝関節への負荷を軽減させることができる。
【００１０】
前記振動生成機構が、
前記モータの出力軸にベルトを介して連結された回転シャフトと、
この回転シャフトの両端面にそれぞれ突設され、その軸心が前記回転シャフトの軸心から偏心している偏心軸と、
前記回転シャフトの両端にそれぞれ配設され、その上部に弾性体が固設された可動軸受と、
前記回転シャフトと同心に配置され、当該回転シャフトの軸方向において前記各可動軸受よりも外側に配設された固定軸受と
を備えており、
前記偏心軸が、前記可動軸受の内輪に挿通されるとともに、前記固定軸受の内輪に嵌め込まれた円盤体に固着されており、且つ
前記弾性体が前記踏み板の下面に固着されているのが好ましい。この場合、偏心軸が挿通された可動軸受を上下動させることにより、当該可動軸受と踏み板に固設された弾性体を介して踏み板に振動を与えることができる。
【００１１】
前記弾性体が、ゴム製の短円筒体と、この短円筒体の両端面にそれぞれ設けられた固定プレートとを備えており、一方の固定プレートが、前記踏み板の下面に固着され、他方の固定プレートが、前記可動軸受の外輪外周を把持して当該可動軸受を収容するハウジングの上部に固着されているのが好ましい。この場合、ゴム製の短円筒体を介して振動を踏み板に与えることで、柔らかく且つ連続的な振動を使用者に与えることができる。
【発明の効果】
【００１２】
本発明の振動マシンによれば、骨盤を正しい位置に保ちつつ、体に振動を与えて有酸素運動を行うことができる。
【発明を実施するための最良の形態】
【００１３】
以下、添付図面を参照しつつ、本発明の振動マシンの実施の形態を詳細に説明する。
図１は、本発明の一実施の形態に係る振動マシンＢの斜視説明図であり、図２〜４は、それぞれ同振動マシンＭの平面説明図、側面説明図及び正面説明図である。この振動マシンＢは、使用者の足底を乗せるための踏み板１が上部に設けられ、当該踏み板１を振動させるためのモータが収容されているベース部１１と、このベース部１１に立設されたセンターポスト１２と、このセンターポスト１２の上端に設けられた制御パネル１３と、前記センターポスト１２に固設されており、姿勢安定のために使用者が把持する把持部１４ａを有するサポートバー１４と、前記ベース部１１内に配設されており、前記モータ１０の回転力を前記踏み板１を振動させる力に変換する振動生成機構とを備えている。
【００１４】
前記ベース部１１は、４つのコーナー部がＲ部とされた略正方形状のベースプレート１１ａと、このベースプレート１１ａ上に固定され、上部及び下部が開放されたハウジング１１ｂとからなっている。前記センターポスト１２は、上方に行くに従い細くなる角柱形状を呈しており、その下端縁に形成されたフランジ部１２ａが前記ベースプレート１１ａにボルト（図示せず）で固定されている。
【００１５】
前記センターポスト１２の上端には、振動のモードを選定したり、残時間を表示したりするための制御パネル１３が設けられている。また、センターポスト１２の両側板１２ａの上端付近からは、パイプ体からなる一対のサポートバー１４が互いに反対の方向に所定長さだけ延設されており、このサポートバー１４は、ついで前方下方に延設され、さらに下方に延設されて姿勢安定のために使用者が把持する把持部１４ａを構成し、その後、後方下方に延びて、さらに下方に延びて前記ベースプレート１１ａに到達している。そして、サポートバー１４は、ボルト（図示せず）により前記ベースプレート１１ａに固定されている。
【００１６】
本実施の形態では、前記センターポスト１２内に、前記モータ１０の駆動を制御する制御基板（制御部）が配設されており、この制御基板は、当該センターポスト１２の上端の制御パネル１３と電気的に接続されている。センターポスト１２内に制御基板を配設する場合、ベース部１１に配設する従来のマシンに比べて、駆動機構と離れていることから振動の影響が少なく、故障になりにくいという利点がある。また、床面よりも高い位置に設置可能であるので、水がかかるのを確実に防止することができ、水（湿気）による電気系統のトラブルが生じることがない。
【００１７】
踏み板１の下面には、図３〜４に示されるように、一対のブラケット１５が所定距離だけ離間して固定されている。各ブラケット１５の中央付近には孔が形成されており、両ブラケット１５の孔に揺動軸１６が挿入されている。そして、この揺動軸１６の両端部は、前記ハウジング１１ｂ内においてベースプレート１１ａに立設された支持部１７の上部に配設された軸受内に挿通されている。これにより、踏み板１は、前記揺動軸１６廻りに揺動し得るように、すなわち踏み板１の左右の部分が交互に上下動し得るようになっている。
【００１８】
振動生成機構２０は、モータ１０の回転力を前記踏み板１を振動させる力に変換するための機構であり、図５〜６に示されるように、前記モータ１０の出力軸１０ａにベルト２１を介して連結された回転シャフト２２と、この回転シャフト２２の両端面にそれぞれ突設され、その軸心が前記回転シャフト２２の軸心から偏心している偏心軸２３と、前記回転シャフト２２の両端にそれぞれ配設され、その上部に弾性体２４が固設された可動軸受２５と、前記回転シャフト２２と同心に配置され、当該回転シャフト２２の軸方向において前記各可動軸受２５よりも外側に配設された固定軸受２６とを備えている。
【００１９】
モータ１０の出力軸１０ａの先端付近にはプーリ１０ｂが固定されており、このプーリ１０ｂと、回転シャフト２２の外周に固定されたプーリ２２ｂとの間にベルト２１が掛け渡されている。前記プーリ１０ｂ及びプーリ２２ｂの外周面には、複数のＶ溝が形成されており、この両Ｖ溝間に複数本のＶベルトが張設されている。なお、図５〜６では、分かり易くするために複数のＶベルトを１本のベルトとして表現している。
【００２０】
前記回転シャフト２２は、偏心軸２３を介して、ベースプレート１１ａに固定された一対の固定軸受２６により回転自在に支持されている。この固定軸受２６は、回転シャフト２２の軸心と同心になるように配置されている。
【００２１】
回転シャフト２２の両端面には、偏心軸２３が突設されているが、両偏心軸２３の軸心は、図５〜６に示されるように、当該回転シャフト２２の軸心に関して互いに１８０°ずれている。これにより、踏み板１の一方の端部（図６において左側の端部）が上昇位置にきたとき、当該踏み板１の他方の端部（図６において右側の端部）が下降位置にくるようになっている。
【００２２】
前記偏心軸２３は、前記可動軸受２５の内輪に挿通されるとともに、前記固定軸受２６の内輪に嵌め込まれた円盤体（図示せず）に固着されている。回転シャフト２２と固定軸受２６とは同心になるように配置されているので、偏心軸２３は、前記円盤体の中心に対して偏心して当該円盤体に固着されることになる。そして、その偏心量は、回転シャフト２２に対する偏心軸２３の偏心量と同じである。
【００２３】
前記可動軸受２５は、図７に示されるように、外輪、内輪及び両輪間に転動自在に配設される複数の転動体からなる軸受２５ａと、この軸受の外輪外周を把持して前記軸受２５ａを収容するハウジング２５ｂとで構成されており、このハウジング２５ｂの上部に前記弾性体２４が固設されている。弾性体２４は、ゴム製の短円筒体２４ａと、この短円筒体２４ａの両端面にそれぞれ設けられた固定プレート２４ｂ、２４ｃとを備えており、一方の固定プレート２４ｂが、前記踏み板１の下面に固着され、他方の固定プレート２４ｃが、前記ハウジング２５ｂの上部に固着されている。これにより、可動軸受２５の上下動（振動）は、ゴム製の短円筒体２４ａを介して踏み板１に伝達される。これにより、柔らかく且つ連続的な振動を使用者に与えることができる。
【００２４】
以上のように構成された振動生成機構２０では、モータ１０の出力軸１０ａの回転は、プーリ１０ｂとプーリ２２ｂとに掛け渡されたベルト２２を介して、減速されて回転シャフト２２に伝達される。回転シャフト２２が回転すると、当該回転シャフト２２の両端面に突設された偏心軸２３が回転シャフト２２の軸心に対して偏心した状態で回転シャフト２２の軸心廻りを回転する。この偏心軸２３は、可動軸受２５の内輪に挿通されていることから、可動軸受２５は、前記回転シャフト２２の回転に同期して上下動（振動）し、この上下動がゴム製の短円筒体２４ａを介して踏み板１に伝達される。なお、前記プーリ及びベルトに代えて、例えばウォームやギヤからなる減速機構を用いて、モータ１０の回転を回転シャフト２２に伝達することもできる。
【００２５】
本実施の形態では、従来の平坦な踏み板に代えて、図４、図６及び図８に示されるように、互いに中心に向けて下降する一対の傾斜部を含む踏み板１を用いている。この踏み板１は、略長方形状の板体からなっており、使用者の各足の親指をそれぞれ当接可能な左右の側面４ａを有する中央凸部４と、左右の各側面４ａの下縁から当該踏み板１の端部に向かって上昇する傾斜面３ａを有する一対の傾斜部３とを備えている。なお、本実施の形態では、前記各傾斜部３の外側端縁に連続して平坦部５が形成されている。
【００２６】
かかる踏み板１では、図８に示されるように、使用者は前記中央凸部４の左右の側面４ａに各足の親指をそれぞれ当接させるようにして、前記傾斜部３の上に各足の親指を含む５指を配置することができる。  
その結果、使用者は、各足底に対して充分に体重を掛けることができ、立位における良肢位を保持することができる。また、使用者は、足の親指の筋肉である長母指筋と、足の親指以外の４指の筋肉である長指筋とが互いに拮抗した状態を維持することができることから、前記長母指筋及び長指筋に対して過剰な負荷を与えることがなく、各足底に対して正しく体重を掛けることができる。  
【００２７】
前記中央凸部４を設けると、使用者は、この中央凸部４を用いて各足を固定しながら、傾斜部３の上に、右足の大腿骨と左足の大腿骨とが互いに平行になるように各足を容易に配置することができる。  
そして、この状態で踏み板１を振動させると、平坦な踏み板と異なり、踏み板が振動することにより当該踏み板が傾斜したときに傾斜面の低い方に位置する足（体のバランスを保つために踏ん張る方の足）に掛かる負荷をちいさくすることができ、踏み板の振動に伴う膝関節への負荷を軽減させることができる。
【００２８】
図９は、制御パネル１３の一例の平面説明図である。制御パネル１３の中央上部には、液晶表示パネルなどからなる表示部３０が設けられており、この表示部３０の左右にはモード表示領域Ａ、Ｂが設定されるとともに、モード選定用の操作ボタン３１、３２が配置されている。また、制御パネル１３内には、使用者に対して操作手順を知らせる音声出力部（図示せず）が内蔵されている。
【００２９】
前記表示部３０には、使用者に対して、振動マシンＭの使用手順を案内するメッセージが表示され、使用者は、このメッセージを見ながら、前記音声出力部より発せられる音声案内にしたがって操作を行う。具体的には、使用者は、まず「男性」ボタン又は「女性」ボタンのいずれかを押すように案内される。この案内にしたがって、使用者は、制御パネル１３の中央下部付近に配置されている「男性」ボタン３３ａ、又は「女性」ボタン３３ｂを押す。
【００３０】
ついで、前記制御パネル１３の表示部３０に、振動モードの選定を指示するメッセージが表示されるとともに、モード選定を促す音声案内が前記音声出力部より発せられる。使用者は、この案内にしたがって、予め振動の強弱やリズムなどがプログラムされているプログラムモード、及び振動の強度が３つの段階で規定されているマニュアルモードの中から所望のモードを選定し、対応する操作ボタンを押す。そうすると、前記表示部に選定されたモードが表示される。マニュアルモードでは、レベル「１」からレベル「３０」まで３０段階のレベル設定が可能であるが、本実施の形態では、中間的なレベル「１０」、レベル「１５」及びレベル「２０」に対応する３つの操作ボタン３２が設けられている。これにより、使用者は、この３つのレベルについては、操作ボタン３２を押すだけで簡単にレベル設定を行うことができる。そして、細かいレベルの設定をしたいときは、「アップ」ボタン３６又は「ダウン」ボタン３７を押すことにより、「１」刻みでレベルの調整を行うことができる。使用者は、前記操作ボタン３２を用いることで、レベル設定のための時間を短縮化することができる。なお、操作ボタン３２を用いずに、「アップ」ボタン３６又は「ダウン」ボタン３７だけで所望のレベル設定を行なうことも可能である。
【００３１】
つぎに、表示部３０にスタートボタンの押下を指示するメッセージが表示されるとともに、ボタンの押下を促す音声案内が前記音声出力部より発せられる。使用者が、この案内にしたがって、制御パネル１３中央付近の「ＳＴＡＲＴ」ボタン３４を押すと、前記モータ１０が回転を開始して、踏み板１が振動を始める。
【００３２】
マシン運転中は、前記表示部３０に、振動の「レベル」、「残時間」及び「消費カロリー」が表示される。前記振動の「レベル」は、振動の大きさの絶対値を示すのではなく、振動のサイクルの大小を相対的に評価する指標である。レベル１が最もサイクルが小さく、したがって最も弱く感じる振動であり、レベル３０が最もサイクルが大きく、したがって最も強く感じる振動である。また、この種のマシンでは、１０分又は１５分といった所定の時間だけ運転するように制御されるのが一般的であることから、かかる所定の時間から実際の運転時間を引いた時間が「残時間」として表示される。さらに、各モードに対応して前記制御パネル１３内の記憶手段に予め記憶されている消費カロリーのデータに基づいて、表示部３０に「消費カロリー」が表示される。記憶手段に予め記憶されている消費カロリーは、標準体重の男性又は女性に対して予め算出されたデータであり、使用者は、これを参考データとして利用することができる。なお、体重及び身長毎に細かく区分けされたデータを記憶させておき、マシン使用前に使用者に自己の体重及び身長を入力させることにより、当該使用者の現実の消費カロリーにより近い値を表示部３０に表示させることができる。
【００３３】
振動マシンＭは、設定された時間が経過すると自動的に停止するが、何らかの事情により振動を停止させたい場合は、制御パネル１３の下部にある「ＳＴＯＰ」ボタン３５を押すことで、モータ１０の回転を停止させることができる。このとき、前記「残時間」をカウントするタイマーも一旦停止する。そして、振動を再開したいときは、「ＳＴＡＲＴ」ボタン３４を押すことで、モータ１０の回転を開始させることができる。この場合、停止前と同じモードで運転が再開される。
【００３４】
また、一旦選定したモードにおいて、振動の「レベル」を大きくしたり、小さくしたりしたいときは、各モードの下部に設けられている「アップ」ボタン３６又は「ダウン」ボタン３７を押すことにより、レベルの調整を行うことができる。このレベルは「１」刻みで大きくしたり、小さくしたりすることができる。
【００３５】
なお、前述した制御パネル１３は、単なる一例にすぎず、振動マシンＭの使用場所（設置場所）やグレードなどに応じて、種々変更を加えることができる。例えば、中央の表示部３０を大きく設定して、この表示部３０に自然や動物などの映像を流すようにしてもよい。また、制御パネル１３の記憶手段に各種の音楽ソフトを記憶させておき、ヘッドホンを用いて好みの音楽を楽しめるようにしてもよい。
【図面の簡単な説明】
【００３６】
【図１】本発明の振動マシンの一実施の形態の斜視説明図である。
【図２】図１に示される振動マシンの平面説明図である。
【図３】図１に示される振動マシンの側面説明図である。
【図４】図１に示される振動マシンの正面説明図である。
【図５】振動マシンにおける振動生成機構の平面説明図である。
【図６】振動マシンにおける振動生成機構の側面説明図である。
【図７】振動生成機構における可動軸受の正面説明図である。
【図８】踏み板の平面説明図である。
【図９】制御パネルの平面説明図である。
【符号の説明】
【００３７】
１      踏み板
３      傾斜部
４      中央凸部
５      平坦部
１０      モータ
１１      ベース部
１１ａ    ベースプレート
１１ｂ    ハウジング
１２      センターポスト
１３      制御パネル
１４      サポートバー
１５      ブラケット
１６      揺動軸
１７      支持部
２０      振動生成機構
２１      ベルト
２２      回転シャフト
２３      偏心軸
２４      弾性体
２５      可動軸受
２６      固定軸受
３０      表示部
Ｍ      振動マシン
【図１】
2009195591.tif 000003
【図２】
2009195591.tif 000004
【図３】
2009195591.tif 000005
【図４】
2009195591.tif 000006
【図５】
2009195591.tif 000007
【図６】
2009195591.tif 000008
【図７】
2009195591.tif 000009
【図８】
2009195591.tif 000010
【図９】
2009195591.tif 000011